(57)【特許請求の範囲】
【請求項１】
下方に穀粒供給口（Ａ）を備える玄米タンク（１）と、投入した穀粒を搬送する送穀ラセン（３）と、該送穀ラセン（３）の搬送終端側に同一軸心上に接続する精白ロール（４）と、前記送穀ラセン（３）及び前記精白ロール（４）を回転駆動させる主軸シャフト（７）と、前記精白ロール（４）を覆い横長の精白室（Ｄ）を形成する精白網（５）と、前記精白室（Ｄ）内の穀粒排出口（Ｂ）側にあって搗精圧力を調節する圧迫板（６）とを備える精米装置において、
前記精白網（５）は２枚並列に設け、それぞれに多数の糠抜き孔（５ａ）を穀粒搬送方向に沿って所定の配置間隔（ｍ）（ｎ）で形成し、該糠抜き孔（５ａ）は全ての幅を０．９ミリから１．２ミリの範囲で形成し、
前記穀粒供給口（Ａ）側の第一精白網（５ｃ）における穀粒供給側の領域（Ｆ）の配置間隔（ｍ）を前記第一精白網（５ｃ）における穀粒排出側の領域及び穀粒排出口（Ｂ）側の第二精白網（５ｄ）の配置間隔（ｎ）よりも広く配置し、かつ、前記第一精白網（５ｃ）における穀粒供給側の領域（Ｆ）の単位面積あたりの無孔部分（５ｅ）の面積を前記第一精白網（５ｃ）における穀粒排出側の領域及び前記第二精白網（５ｄ）の単位面積あたりの無孔部分（５ｅ）の面積よりも大きく形成したことを特徴とする精米装置。
【発明の詳細な説明】
【０００１】
【発明の属する技術分野】
この発明は精米装置に関するものである。
【０００２】
【従来の技術】
通常の精白網は同一幅の糠抜き孔（通常は幅０．９ミリから１．２ミリ程度）を同一の間隔で多数形成しているが、特定の目的のため糠抜き孔の形状を特殊に形成した技術も公開されている。例えば、特開平３−１７８３４４号において、穀粒供給側の糠抜き孔の幅よりも穀粒排出側の糠抜き孔の幅を通常よりも大きく形成し、穀粒排出側で糠以外に屑米をも除去する精白網が開示されている。
【０００３】
【発明が解決しようとする課題】
前記のような通常の精白網においては、穀粒を投入した際、精白網の穀粒供給側が穀粒排出側よりも圧力が大きく、特に異物が入り込んだ場合に精白網が破れ易いという欠点があった。一方、前記公報のように屑米が除去できる程度まで糠抜き孔の幅を広げると精白中の整粒が糠抜き孔の中に入り込んだり、ひっかかりやすくなって砕米が発生するという欠点が生じるので、前記糠抜き孔の幅は通常の幅にするのが望ましい。一方、糠抜き孔の幅をあまり狭くすると糠抜き作用が悪くなる。
【０００４】
本発明は、精白網の耐久性を向上させると共に、精白作業における砕米の発生を防止し、さらに糠抜き作用の能率を維持することを目的とする。
【０００５】
【課題を解決するための手段】
本発明の上記課題は次の構成によって達成される。請求項１においては、下方に穀粒供給口（Ａ）を備える玄米タンク（１）と、投入した穀粒を搬送する送穀ラセン（３）と、該送穀ラセン（３）の搬送終端側に同一軸心上に接続する精白ロール（４）と、前記送穀ラセン（３）及び前記精白ロール（４）を回転駆動させる主軸シャフト（７）と、前記精白ロール（４）を覆い横長の精白室（Ｄ）を形成する精白網（５）と、前記精白室（Ｄ）内の穀粒排出口（Ｂ）側にあって搗精圧力を調節する圧迫板（６）とを備える精米装置において、
前記精白網（５）は２枚並列に設け、それぞれに多数の糠抜き孔（５ａ）を穀粒搬送方向に沿って所定の配置間隔（ｍ）（ｎ）で形成し、該糠抜き孔（５ａ）は全ての幅を０．９ミリから１．２ミリの範囲で形成し、
前記穀粒供給口（Ａ）側の第一精白網（５ｃ）における穀粒供給側の領域（Ｆ）の配置間隔（ｍ）を前記第一精白網（５ｃ）における穀粒排出側の領域及び穀粒排出口（Ｂ）側の第二精白網（５ｄ）の配置間隔（ｎ）よりも広く配置し、かつ、前記第一精白網（５ｃ）における穀粒供給側の領域（Ｆ）の単位面積あたりの無孔部分（５ｅ）の面積を前記第一精白網（５ｃ）における穀粒排出側の領域及び前記第二精白網（５ｄ）の単位面積あたりの無孔部分（５ｅ）の面積よりも大きく形成したことを特徴とする精米装置とする。
【０００６】
【０００７】
【０００８】
【発明の作用効果】
玄米タンク（１）内の玄米は穀粒供給口（Ａ）に供給され、送穀ラセン（３）で横方向に搬送され、精白室（Ｄ）で精白ロール（４）と精白網（５）と圧迫板（６９の作用で搗精されながら穀粒排出口（Ｂ）から排出される。
並列して設ける２枚の精白網（５）の糠抜き孔（５ａ）全ての幅を０．９ミリから１．２ミリの範囲に形成することで、穀粒が糠抜き孔（５ａ）に詰まったり引っかかったりすることないため、砕米の発生を防止すると共に、安定した糠抜き作用をが可能になる。また、穀粒供給口（Ａ）側の第一精白網（５ｃ）における穀粒供給側の領域（Ｆ）の配置間隔（ｍ）を前記第一精白網（５ｃ）における穀粒排出側の領域及び穀粒排出口（Ｂ）側の第二精白網（５ｄ）の配置間隔（ｎ）よりも広く配置し、かつ、第一精白網（５ｃ）における穀粒供給側の領域（Ｆ）の単位面積あたりの無孔部分（５ｅ）の面積を前記第一精白網（５ｃ）における穀粒排出側の領域及び第二精白網（５ｄ）の単位面積あたりの無孔部分（５ｅ）の面積よりも大きく形成したことで、精白圧力の高い穀粒供給口（Ａ）側の第一精白網（５ａ）の強度が増し、第一精白網（５ａ）が破れ難くなり、耐久性を向上させることができる。
【０００９】
【発明の実施の形態】
まず、精米装置について図１に基づいて説明する。１は玄米タンクで、その下方には穀粒供給口Ａ、そして投入した穀粒を搬送する送穀ラセン３を配設し、送穀ラセン３の搬送終端側からは精白ロ−ル４を同一軸心上に接続している。精白ロ−ル４は、多数の糠抜き孔５ａ…が設けられている精白網５で覆われ精白室Ｄが形成され、さらに精白網５を網枠５ｂで外側から固定する。そして、穀粒排出口Ｂには精白室Ｄ内の搗精圧力を調節する圧迫板６を設けている。
【００１０】
送穀ラセン３の内部は、穀粒搬送方向に主軸シャフト７が貫通している。そして、主軸シャフト７の一端側は精白ロ−ル４を軸支しており、他端側は伝動プ−リ８に挿入しており、精米装置の駆動モ−タ９から伝動ベルト１０を介して伝動プ−リ８、８及び主軸シャフト７を回転駆動させ、送穀ラセン３と精白ロ−ル４を回転駆動するよう構成している。また、主軸シャフト７と精白ロ−ル４の内部は空洞に形成されていると共に、主軸シャフト７の他端側が送風管１１と連通されることにより、送風ファン１２からの風が送風管１１から主軸シャフト７、精白ロ−ル４を経て、精白ロ−ル４に設けられている通風口４ａから精白室Ｄに案内され、精白作業で発生する糠を精白網の糠抜き孔５ａ…から精白室Ｄ外に排出するよう形成されている。なお、精白室Ｄより排出された糠は吸引ファン１３に吸引され、糠ホッパ１４から搬送ダクト１５を経て機外に排出される構成されている。
【００１１】
次に、発明の要部である精白網５の構成について説明する。精白網５は図２に示すように精白室Ｄの上手側の第１精白網５ｃと精白室Ｄの下手側の第２精白網５ｄとの２つの精白網を並列することで形成されている。そして、精白網５には多数の糠抜き孔５ａ…を形成すると共に、糠抜き孔の幅は０．９ミリから１．２ミリ程度に形成する。なお、糠抜き孔５ａ…以外の精白網５の部分を無孔部分５ｅと呼ぶ。
【００１２】
そして、第１精白網５ｃにおける糠抜き孔５ａ…の配設間隔ｍを第２精白網５ｄにおける糠抜き孔５ａ…の配設間隔ｎよりも広くしている。あるいは、図３に示すように、第１精白網５ｃにおける領域Ｆの糠抜き孔５ａ…の間隔のみを広くしてもよい。つまり、単位面積における無孔部分５ｅを精白室下手側より精白室上手側を広くする構成にする。なお、領域Ｆは図３に限らず精白室上手側のどの部分に設けても良い。
【００１３】
作用について説明すると、穀粒供給口Ａに投入された穀粒が送穀ラセン３で精白網５の精白室Ｄの上手側に搬送され、精白網５と精白ロ−ル４、すなわち精白室Ｄ内で精白作用を受ける一方、発生した糠は送風ファン１２からの送風作用と吸引ファン１３の吸引作用で糠抜き孔５ａ…より排出され、糠ホッパ１４、及び搬送ダクト１５を経て機外に排出される。そして、穀粒は精白作用を受けながら精白網５の精白室下手側に順次移動し、穀粒排出口Ｂより排出される。その際、精白室Ｄに混入してきた異物等は、精白ロ−ル４と精白室上手側の精白網５ｃで精白作用を受けることにより切削され、小さくなることで精白室下手側の糠抜き孔５ａ…から糠ホッパ１４に排出されるか、穀粒排出口Ｂより機外に排出される。なお、糠抜き孔５ａ…は幅０．９ミリから１．２ミリ程度に形成されており、穀粒は孔に詰まったり、ひっかかったりすることなく、機外に排出される。
【００１４】
このように、精白室Ｄの上手側における第１精白網５ｃの無孔部分５ｅの単位面積を、精白室Ｄの下手側における第２精白網５ｄの無孔部分５ｅの単位面積よりも大にした領域を設けることで、精白圧力の高い精白室Ｄの上手側における第１精白網５ｃの強度が増し、破れ難くなるので、精白網５の耐久性を向上させることができる。特に、精白網５内に異物が混入して、第１精白網５ｃが大きな圧力を受けた場合に効果がある。また、精白室Ｄの上手側における第１精白網５ｃの糠抜き孔５ａ…の配置間隔を、精白室Ｄの下手側における配置間隔よりも広く形成した領域Ｆを設けることでも同様の効果が生じる。また、糠抜き孔５ａ…の配設を工夫し、糠抜き孔５ａ…は全て通常の幅（０．９ミリから１．２ミリ程度）にすることで砕米等の発生を防止すると共に、安定した糠抜き作用が可能になる。
【００１５】
なお、本実施例では２つの精白網を並列させているが、１枚の精白網、あるいは３枚以上の精白網を並列させるものにおいても、精白室全体から見て、精白室上手側における精白網の無孔部分の単位面積を精白室下手側の単位面積よりも大にした領域を設けるか、精白室上手側における精白網の糠抜き孔の配置間隔を、精白室下手側における配置間隔よりも広く形成した領域を設けても同様の効果が生じることはいうまでもない。
【図面の簡単な説明】
【図１】 側面から見た精米装置の断面図
【図２】 精白網の側面図
【図３】 精白網の側面図
【符号の説明】
３…送穀ラセン、４…精白ロ−ル、５…精白網、５ａ…糠抜き孔、５ｂ…網枠、５ｃ…第１精白網、５ｄ…第２精白網、５ｅ…無孔部分、Ａ…穀粒供給口、Ｂ…穀粒排出口、Ｄ…精白室
【図１】
0003903583.tif 000002
【図２】
0003903583.tif 000003
【図３】
0003903583.tif 000004